(57)【要約】【課題】容器の蓋を安定して確実に保持できるとともに、蓋の取り外し時において、作業者が蓋や容器へ接触することを極力防止できる容器スタンドを提供する。【解決手段】容器Ｂ１を支持する支持部３と、蓋Ｂ２を保持する保持部４と、支持部３及び保持部４を支持する支柱部２とを有する。保持部４は、蓋Ｂ２の周囲の隆起部Ｕの対向する外縁及び内縁に当接する当接部４２ａ，４４ａと、当接部４２ａ，４４ａを、隆起部Ｕにおける外縁及び内縁に接離する方向に進退させる外縁移動部４２、内縁移動部４４と、蓋Ｂ２の平面方向から見て内側に設けられ、外縁移動部４２、内縁移動部４４の位置を調節する固定部４１及びネジ４５を有する。【選択図】図５
2010070254.tif 000002
【特許請求の範囲】
【請求項１】
容器と蓋とからなる保持対象物の容器を支持する支持部と、蓋を保持する保持部と、前記支持部及び前記保持部を支持する支柱部とを有する容器スタンドにおいて、
前記保持部は、蓋における対向する外縁若しくは蓋における対向する内縁に当接する当接部と、
前記当接部を、蓋における対向する外縁若しくは蓋における対向する内縁に接離する方向に進退させる移動部と、
蓋の平面方向から見て内側に設けられ、前記移動部の位置を調節する調節部と、
を有することを特徴とする容器スタンド。
【請求項２】
容器と蓋とからなる保持対象物の容器を支持する支持部と、蓋を保持する保持部と、前記支持部及び前記保持部を支持する支柱部とを有する容器スタンドにおいて、
前記保持部は、蓋における対向する外縁及び蓋における対向する内縁に当接する当接部と、
前記当接部を、蓋における対向する外縁及び蓋における対向する内縁に接離する方向に進退させる移動部と、
蓋の平面方向から見て内側に設けられ、前記移動部の位置を調節する調節部と、
を有することを特徴とする容器スタンド。
【請求項３】
容器と蓋とからなる保持対象物の容器を支持する支持部と、蓋を保持する保持部と、前記支持部及び前記保持部を支持する支柱部とを有する容器スタンドにおいて、
前記保持部は、蓋における外縁及び内縁を挟持するように当接する一対の当接部と、
前記当接部の少なくとも一方を、蓋における外縁及び内縁の少なくとも一方に接離する方向に進退させる移動部と、
前記移動部の位置を調節する調節部と、
を有することを特徴とする容器スタンド。
【請求項４】
前記調節部は、移動部を任意の位置で固定する固定手段を有することを特徴とする請求項１〜３のいずれか１項に記載の容器スタンド。
【請求項５】
前記調節部は、
前記移動部を、前記当接部が蓋の外縁若しくは内縁に接する方向に付勢する付勢手段と、
前記移動部を前記付勢手段の付勢方向に抗する方向に移動させる退避位置と、前記移動部を前記付勢手段の付勢方向に移動させる保持位置との間を変位可能な操作手段と、
を有することを特徴とする請求項１記載の容器スタンド。
【請求項６】
前記操作手段は、回動可能に設けられていることを特徴とする請求項５記載の容器スタンド。
【請求項７】
前記操作手段は、単一であることを特徴とする請求項５又は請求項６記載の容器スタンド。
【請求項８】
前記当接部の位置を調節する調節具を有することを特徴とする請求項１〜７のいずれか１項に記載の容器スタンド。
【請求項９】
前記支柱部を支持する脚部を有し、
前記脚部に回動可能に設けられ、足により操作可能なペダル部材と、
前記ペダル部材の回動に従って、前記保持部に保持された前記蓋が開閉するように、前記保持部と前記ペダル部材とを連結する連結手段が設けられ、
前記ペダル部材の下部には、前記ペダル部材を弾性支持する弾性部材が移動可能に設けられていることを特徴とする請求項１〜８のいずれか１項に記載の容器スタンド。
【請求項１０】
前記支持部は、容器の幅方向及び奥行方向にスライド移動可能に設けられたスライド部を有し、
前記スライド部は、その移動に従って容器に接離することにより、容器を保持及び解放する押え部を有することを特徴とする請求項１〜９のいずれか１項に記載の容器スタンド。
【請求項１１】
前記脚部には、車輪部が設けられていることを特徴とする請求項９記載の容器スタンド。
【発明の詳細な説明】
【技術分野】
【０００１】
本発明は、保持対象物である容器を設置するスタンドに係り、例えば、医療用廃棄物の容器を使用するための容器スタンドに関する。
【背景技術】
【０００２】
従来から、ゴミ袋やゴミ箱を保持するスタンドが提案されている。例えば、対象となるゴミが医療用廃棄物などのように安全性を確保する必要がある場合には、ゴミ箱として、強度の高い容器を使用する必要がある。その場合、安全性の観点から、容器を床に直置きするのではなく、スタンドに据え付けることが推奨されている。
【０００３】
しかし、単純な構造のスタンドでは、容器を設置するための部分が固定されているので、設置部分と合致する幅や深さの容器にしか対応できない。これに対処するため、本件出願人らによって、容器の設置部分の大きさを適宜調節することができるスタンドが提案されている（特許文献１、２参照）。これらのスタンドは、保持具を蓋の手前側の縁に引っ掛けて、ペダルを踏むことによって蓋を開閉できる構造である。
【０００４】
【特許文献１】実用新案登録第３１１９３４１号公報
【特許文献２】実用新案登録第３１２９６１１号公報
【特許文献３】実用新案登録第３１１５８８５号公報
【特許文献４】特開２００５−３０６５２６号公報
【特許文献５】特開平５−１０５２０３号公報
【特許文献６】実用新案登録第３０５４５０９号公報
【特許文献７】実用新案登録第３１２７１０４号公報
【特許文献８】特開２００５−１１０９９９号公報
【特許文献９】実用新案登録第３１２８４９２号公報
【特許文献１０】特開２００１−４８３０３号公報
【発明の開示】
【発明が解決しようとする課題】
【０００５】
ところで、上記のように医療用廃棄物等を廃棄するための容器の場合、安全性の見地から、作業者が容器と廃棄物との接触箇所に触れないようにする必要がある。この点で、足でペダルを踏んで蓋の開閉ができるスタンドの場合には、蓋の開閉時に、手を蓋に触れなくて済むので、安全性は高い。
【０００６】
しかし、例えば、特許文献３〜５に記載された発明のように、蓋の外縁に保持具を引っ掛ける構造の場合、蓋を閉じて保治具を蓋から取り外す際に、蓋に手を触れることになる。この点、特許文献１のように、スライド部のスライド移動により蓋の縁への引っ掛かりを解除する場合には、蓋に触れる可能性を低減させることができるが、横方向に長い蓋の場合には、手前側の縁のみを引っ掛けても、安定性の点でやや弱い。
【０００７】
ここで、容器の蓋の保持構造については、特許文献６に開示されているように、蓋が開閉する際の回動の軸近傍においてのみ、留め具によって保持するものや、特許文献７、８に開示されているように、蓋の中央に突出した持手部分を、保持具により保持するものが提案されている。このような局所的な保持の場合には、取り外し時に蓋に触れる可能性は、ある程度低減できる。
【０００８】
しかし、かかる局所的な保持では、医療用廃棄物用等の大型で重い容器の蓋の場合、安定性に欠け、外れやすくなる。これは、特許文献９、１０に示すように、保持面積をある程度拡大させても、同様である。
【０００９】
なお、このような廃棄物の処理に関する備品の安全性の確保は、財団法人日本医療機能評価機構等に代表される第三者機関による病院の評価にも関係するものである。つまり、従来製品と比較して、院内感染等の可能性を少しでも低減できるものを採用すれば、安全性に対する配慮が優れているとして、高評価の対象とされ得る。このため、上記のようなスタンドについても、より優れた製品の開発が常に期待されているといえる。
【００１０】
本発明は、上記のような課題を解決するものであり、その目的は、容器の蓋を安定して確実に保持できるとともに、蓋の取り外し時において、作業者が蓋や容器へ接触することを極力防止できる容器スタンドを提供することにある。
【課題を解決するための手段】
【００１１】
上記の目的を達成するため、請求項１の発明は、容器と蓋とからなる保持対象物の容器を支持する支持部と、蓋を保持する保持部と、前記支持部及び前記保持部を支持する支柱部とを有する容器スタンドにおいて、前記保持部は、蓋における対向する外縁若しくは蓋における対向する内縁に当接する当接部と、前記当接部を、蓋における対向する外縁若しくは蓋における対向する内縁に接離する方向に進退させる移動部と、蓋の平面方向から見て内側に設けられ、前記移動部の位置を調節する調節部と、を有することを特徴とする。
【００１２】
以上のような発明では、保持部は、蓋の対向する縁に対して移動部を移動させて、蓋の対向する縁に当接部を当接させることにより、蓋を安定的に保持できる。移動部の位置を調節し、当接部を蓋の縁に接離させる調節部が、蓋の平面方向から見て内側に設けられているので、容器や蓋の縁に触れずに、蓋を取り外すことができる。
【００１３】
請求項２の発明は、容器と蓋とからなる保持対象物の容器を支持する支持部と、蓋を保持する保持部と、前記支持部及び前記保持部を支持する支柱部とを有する容器スタンドにおいて、前記保持部は、蓋における対向する外縁及び蓋における対向する内縁に当接する当接部と前記当接部を、蓋における対向する外縁及び蓋における対向する内縁に接離する方向に進退させる移動部と、蓋の平面方向から見て内側に設けられ、前記移動部の位置を調節する調節部と、を有することを特徴とする。
【００１４】
請求項３の発明は、容器と蓋とからなる保持対象物の容器を支持する支持部と、蓋を保持する保持部と、前記支持部及び前記保持部を支持する支柱部とを有する容器スタンドにおいて、前記保持部は、蓋における外縁及び内縁を挟持するように当接する一対の当接部と、前記当接部の少なくとも一方を、蓋における外縁及び内縁の少なくとも一方に接離する方向に進退させる移動部と、を有することを特徴とする。
【００１５】
以上のような発明では、当接部によって、蓋の外縁と内縁を挟持するように保持するので、より強固に保持することができる。
【００１６】
請求項４の発明は、請求項１〜３のいずれか１項の容器スタンドにおいて、前記調節部は、移動部を任意の位置で固定する固定手段を有することを特徴とする。
【００１７】
以上のような発明では、固定手段による固定と固定の解除とを、蓋の平面方向から見て内側において行うことができるので、容器や蓋の縁に触れずに、蓋を取り外すことができる。
【００１８】
請求項５の発明は、請求項１の容器スタンドにおいて、前記調節部は、前記移動部を、前記当接部が蓋の外縁若しくは内縁に接する方向に付勢する付勢手段と、前記移動部を前記付勢手段の付勢方向に抗する方向に移動させる退避位置と、前記移動部を前記付勢手段の付勢方向に移動させる保持位置との間を変位可能な操作手段と、を有することを特徴とする。
【００１９】
以上のような発明では、蓋の取り付け及び取り外しのために、移動部を移動させて当接部を蓋の縁に接離させる作業を、操作手段を操作することにより簡単に行うことができる。
【００２０】
請求項６の発明は、請求項５の容器スタンドにおいて、前記操作手段は、回動可能に設けられていることを特徴とする。
【００２１】
以上のような発明は、操作手段を回動させることにより、蓋の取り付け及び取り外しを行うことができるので、操作し易い。
【００２２】
請求項７の発明は、請求項５又は請求項６の容器スタンドにおいて、前記操作手段は、単一であることを特徴とする。
【００２３】
以上のような発明では、単一の操作手段を操作することにより、蓋の取り付け及び取り外しを行うことができるので、作業が短時間で済む。
【００２４】
請求項８の発明は、請求項１〜７のいずれか１項の容器スタンドにおいて、前記当接部の位置を調節する調節具を有することを特徴とする。
【００２５】
以上のような発明では、調節具を用いて、当接部の位置を調節することによって、蓋の保持強度を容易に調節できる。蓋の取り外しも、調節具の操作のみによって行うことも可能となり、より一層、取り外しが容易となる。
【００２６】
請求項９の発明は、請求項１〜８のいずれか１項の容器スタンドにおいて、前記支柱部を支持する脚部を有し、前記脚部に回動可能に設けられ、足により操作可能なペダル部材と、前記ペダル部材の回動に従って、前記保持部に保持された前記蓋が開閉するように、前記保持部と前記ペダル部材とを連結する連結手段が設けられ、前記ペダル部材の下部には、前記ペダル部材を弾性支持する弾性部材が、移動可能に設けられていることを特徴とする。
【００２７】
以上のような発明では、ペダル部材を支持する弾性部材によって、蓋が閉じる際の速度を緩和できる。弾性部材を移動させることによって、ペダル部材に対する支持位置を変え、蓋の重量に合わせた弾性力を得たり、蓋が閉じる際の速度を調節したりすることができる。
【００２８】
請求項１０の発明は、請求項１〜９のいずれか１項の容器スタンドにおいて、前記支持部は、容器の幅方向及び奥行方向にスライド移動可能に設けられたスライド部を有し、前記スライド部は、その移動に従って容器に接離することにより、容器を保持及び解放する押え部を有することを特徴とする。
【００２９】
以上のような発明では、幅や奥行きの異なる容器であっても、これに合わせてスライド部を移動させ、押え部を当接させることによって、確実に設置することができる。
【００３０】
請求項１１の発明は、請求項９の容器スタンドにおいて、前記脚部には、車輪部が設けられていることを特徴とする。
【００３１】
以上のような発明では、車輪部によって、簡単に移動させることができる。
【発明の効果】
【００３２】
以上のように、本発明によれば、容器の蓋を安定して保持できるとともに、取り外し時における蓋への接触を防止可能な容器スタンドを提供できる。
【発明を実施するための最良の形態】
【００３３】
次に、本発明の容器スタンドを実施するための最良の実施形態について、図面を参照して説明する。
［１．第１の実施形態］
［構成］
まず、第１の実施形態の構成を、図１〜１０を参照して説明する。すなわち、本実施形態は、図１及び図２に示すように、脚部１、支柱部２、支持部３、保持部４及びペダル部５を有している。また、本実施形態に設置される容器Ｂ１は、直方体形状であり、上部開口を塞ぐための蓋Ｂ２が、容器Ｂ１から離脱可能な構成となっている。この蓋Ｂ２の縁には、図５及び図６に示すように、環状に隆起した隆起部Ｕが形成されている。
【００３４】
脚部１は、図１〜３に示すように、接地部１１ａ，１１ｂ、連結部１２ａ，１２ｂ、枠部１３等を有している。接地部１１ａ，１１ｂは、床に接する２本の平行な直線状の部材であり、前方が接地部１１ａ，後方が接地部１１ｂとなっている。連結部１２は、接地部１１ａ，１１ｂ間を前後に連結する２本の平行な直線状の部材である。枠部１３は、連結部１２上に支持固定された直方体形状の枠体である。
【００３５】
支柱部２は、２本の平行な直線状の部材である柱部材２１を有している。この柱部材２１の下端は、脚部１における枠部１３上に、垂直方向に取り付けられている。
【００３６】
支持部３は、図１、図２及び図４に示すように、固定部３１、前スライド部３２、横スライド部３３、ネジ３４等を有している。固定部３１は、容器Ｂ１の底面を支持する部材であり、格子状に配置されたパイプによって形成されている。固定部３１は、その後方に、容器Ｂ１の背面に接する押え部３１ａを備えている。また、固定部３１には、その後方に、柱部材２１に昇降可能な昇降部３１ｂが設けられている。この固定部３１は、柱部材２１の所望の高さにおいて、ネジ３４により固定されるように構成されている。
【００３７】
前スライド部３２は、固定部３１における前後方向のパイプの前端に、スライド移動可能に挿通された部材である。前スライド部３２には、容器Ｂ１の前方の側面に接離する押え部３２ａが設けられている。前スライド部３２は、所望の位置において、それぞれネジ３４により固定部３１に対して固定されるように構成されている。
【００３８】
横スライド部３３は、固定部３１における左右方向のパイプの両端に、スライド移動可能に挿通された部材である。横スライド部３３には、その位置に応じて、容器Ｂ１の左右の側面に接離する押え部３３ａが設けられている。横スライド部３３は、所望の位置において、それぞれネジ３４により固定部３１に対して固定されるように構成されている。
【００３９】
保持部４は、図５〜８に示すように、固定部４１、外縁移動部４２、前後移動部４３、内縁移動部４４、ネジ４５等を有している。
【００４０】
固定部４１は、格子状に配置されたパイプを有し、その後方端において、柱部材２１の上端に、回動可能に連結されている。外縁移動部４２は、固定部４１における左右方向のパイプの両端に、それぞれスライド移動可能に挿通された一対の部材である。外縁移動部４２には、その位置に応じて、蓋Ｂ２の隆起部Ｕの左右の外縁に接離する当接部４２ａが設けられている。
【００４１】
前後移動部４３は、固定部４１における前後方向のパイプの前端に、スライド移動可能に挿通された部材である。前後移動部４３は、左右方向のパイプを有しており、その両端には、内縁移動部４４がスライド移動可能に挿通されている。内縁移動部４４には、その位置に応じて、蓋Ｂ２の隆起部Ｕの左右の内縁に接離する当接部４４ａが設けられている。当接部４４ａの先端位置は、ネジ４４ｂによって微調整可能に設けられている（請求項の調節具）。
【００４２】
外縁移動部４２、前後移動部４３は、所望の位置において、それぞれネジ４５により固定部４１に対して固定されるように構成されている。内縁移動部４４は、所望の位置において、ネジ４５により前後移動部４３に対して固定されるように構成されている。
【００４３】
本実施形態においては、外縁移動部４２、前後移動部４３、内縁移動部４４の位置等を調整する部材（固定部４１、ネジ４５等）によって、請求項の調節部が構成されている。この調節部は、蓋Ｂ２の平面方向から見て、隆起部Ｕの内側に配設されている。
【００４４】
ペダル部５は、図１、図２、図９及び図１０に示すように、連結部５１、足踏部５２、緩衝部５３等を有している。連結部５１は、垂直方向の直線形状の部材であり、その上端が保持部４の固定部４１に回動可能に連結されている。足踏部５２は、直線形状の部材であり、脚部１の枠部１３に回動可能に設けられている。この足踏部５２の後端は、連結部５１の下端に回動可能に連結されている。このため、足踏部５２の手前側の端部を踏むと、後端が連結部５１を押し上げ、保持部４が蓋Ｂ２とともに上方に回動するように構成されている。
【００４５】
緩衝部５３は、弾性部材５３ａ、摺動部５３ｂ等を有している。弾性部材５３ａは、蓋Ｂ２が閉じる際にかかる荷重を受けるように、足踏部５２の下部に配置された部材である。この弾性部材５３ａとしては、例えば、コイルバネ等を用いることが考えられるが、板バネ、樹脂、ゴム等、あらゆる弾性体が適用可能である。摺動部５３ｂは、弾性部材５３ａの下端を支持する部材であり、連結部１２に前後に摺動可能に設けられている。
【００４６】
［作用効果］
以上のような構成を有する本実施形態の作用効果は、次の通りである。
［容器の取り付け］
まず、容器Ｂ１を取り付ける際には、図１、図２及び図４に示すように、前スライド部３２、横スライド部３３を、容器Ｂ１の奥行及び幅よりも広くスライド移動させ、固定部３１に容器Ｂ１を置いた後、前スライド部３２、横スライド部３３を、押え部３１ａ，３２ａ，３３ａが、容器Ｂ１の側面に当接して押えるように動かし、各ネジ３４によって固定する。さらに、昇降部３１ｂを昇降させることにより、支持部３を、容器Ｂ１の上下方向の深さに合わせて昇降させ、容器Ｂ１の上端部分に、保持部４に保持される蓋Ｂ２が被さる位置で、ネジ４５によって固定する。
【００４７】
このように、前スライド部３２、横スライド部３３、昇降部３４をスライド移動させることにより、容器Ｂ１の奥行、幅及び深さが異なっていても、確実に設置することが可能となる。
【００４８】
［蓋の取り付け］
次に、保持部４に容器Ｂ１の蓋Ｂ２を取り付ける際には、図５〜図８に示すように、前後移動部４３を、蓋Ｂ２の中心に内縁移動部４４が来るように移動して、ネジ４５により固定する。そして、外縁移動部４２を、蓋Ｂ２の隆起部Ｕの左右の外縁に、当接部４２ａが接するように移動させ、内縁移動部４４を、蓋Ｂ２の隆起部Ｕの左右の内縁に当接部４４ａが接するように移動させ、ネジ４５により固定する。
【００４９】
また、当接部４４ａの先端位置は、ネジ４４ｂによって微調整することもできる。以上の作業によって、当接部４２ａと当接部４４ａによって、隆起部Ｕを挟持するように保持できるので、より強固に、安定的に蓋Ｂ２を保持できる。
【００５０】
［蓋の開閉］
蓋Ｂ２の開閉は次のように行う。すなわち、図２に示すように、足踏部５２の手前の端部が使用者により踏み込まれると、連結部５１と連結された端部が上がるとともに、連結部５１が押し上げられる。従って、連結部５１に連結されている保持部４の固定部４１が、柱部材２１の上端を軸として上方に回動するので、蓋Ｂ２が開く。
【００５１】
使用者が踏み込みを止めると、足踏部５２の手前の端部が開放されるので、連結部５１と連結された端部が下がるとともに、連結部５１が下がる。従って、保持部４の固定部４１が、支柱部２の上端を軸として下方に回動するので、蓋Ｂ２が閉まる。このとき、足踏部５２にかかる荷重を、弾性部材５３ａが受けることによって、蓋Ｂ２の閉じる速度が緩和される。この速度は、図９及び図１０に示すように、摺動部５３ｂの位置を変えて、弾性部材５３ａの支持位置を変えることにより、調節することができる。弾性部材５３ａの支持位置を変えることにより、蓋Ｂ２の重量に合わせた弾性力を得ることもできる。
【００５２】
このように、作業者が手で触れることなく蓋Ｂ２の開閉を行うことが可能となるため、例えば医療用廃棄物を容器に入れる場合など、蓋Ｂ２を手で開けることに衛生上の問題がある場合であっても、当該問題を解消することができる。さらに、手が荷物等でふさがっている場合でも蓋Ｂ２の開閉が可能となるので、利便性の向上を図ることができる。
【００５３】
［蓋、容器の取り外し］
次に、蓋Ｂ２を外す際には、通常は、ネジ４４ｂを緩めることによって、当接部４４ａを、隆起部Ｕの左右の内縁から離すように移動させる。これにより、蓋Ｂ２を解放することができる。当接部４２ａ，４４ａが強く圧着されている場合には、ネジ４５を緩めて、外縁移動部４２若しくは内縁移動部４４を移動させることにより、当接部４２ａ，４４ａから隆起部Ｕを解放する。
【００５４】
このように、蓋Ｂ２の平面方向から見て内側のネジ４４ｂ，４５を緩めることによって、蓋Ｂ２を解放できるので、作業者が、容器Ｂ１及び蓋Ｂ２の縁に接触することを防止できる。当接部４２ａ，４４ａは、蓋Ｂ２の縁に引っ掛ける構造ではないので、取り外しが容易であり、引っ掛かりを外すために誤って蓋Ｂ２に触れることも防止できる。
【００５５】
容器Ｂ１を取り外す際には、各ネジ３４を緩めて、前スライド部３２、横スライド部３３を、容器Ｂ１の幅よりも広くスライド移動させ、押え部３２ａ，３３ａを、容器Ｂ１の側面から離す。これにより、容器Ｂ１及び蓋Ｂ２が解放されるので、スタンドから取り外すことができる。
【００５６】
［２．第２の実施形態］
［構成］
次に、第２の実施形態を説明する。なお、上記の第１の実施形態と同様の部材については、説明を省略する。
【００５７】
すなわち、本実施形態は、基本的には、上記の第１の実施形態と同様の構成である。但し、図１１〜１６に示すように、蓋Ｂ２を保持する保持部６の構成が異なっている。まず、保持部６は、固定部６１、前後移動部６２、調節部６３、外縁移動部６４等を有している。
【００５８】
固定部６１は、前後に平行に配置された２本のパイプを有し、その後方端において、柱部材２１の上端に回動可能に連結されている。前後移動部６２は、固定部６１における前後方向のパイプの前端に、スライド移動可能に挿通された部材である。前後移動部６２は、ネジ６１ａにより固定部６１に対して固定されるように構成されている。
【００５９】
調節部６３は、図１３〜図１６に示すように、取付部６３１、開閉部６３２、操作部６３３、付勢部６３４等を有している。取付部６３１は、前後移動部６２に固定されたプレートである。この取付部６３１には、後述する操作部６３３を押圧するために、指を挿入可能な穴６３１ａが形成されている。
【００６０】
開閉部６３２は、取付部６３１の左右に、水平方向に回動可能に設けられた一対のプレートである。この開閉部６３２の一端は、付勢部６３４によって互いに引き合う方向に付勢されている。付勢部６３４としては、例えば、コイルバネとすることが考えられるが、一対の部材を所定の方向に付勢する部材であれば、どのようなものでもよい。
【００６１】
操作部６３３は、取付部６３１の下部に、左右方向の軸６３５を中心に回動可能に設けられている。この操作部６３３には、下方に押圧されることにより操作部６３３が回動する操作片６３３ａが設けられている。また、操作部６３３には、開閉部６３２の他端に当接した押圧部６３３ｂが設けられている。これにより、操作部６３３は、操作片６３３ａが押圧されると回動して、押圧部６３３ｂが開閉部６３２の他端を押すので、開閉部６３２が、付勢部６３４の付勢力に抗して回動するように構成されている。
【００６２】
外縁移動部６４は、開閉部６３２の一端に連結された一対の直線状の部材である。この外縁移動部６４には、その位置に応じて、蓋Ｂ２の隆起部Ｕの左右の外縁に接離する当接部６４ａが設けられている。この当接部６４ａは、隆起部Ｕとの接触面に、ゴム、樹脂等の滑止部材６４ｂを有している。
【００６３】
［作用効果］
以上のような本実施形態における蓋Ｂ２の取り付け及び取り外し作業は、次のように行う。すなわち、蓋Ｂ２の取り付け時には、図１２に示すように、作業者が、当接部６４ａが蓋Ｂ２の隆起部Ｕの外側へ来るように、外縁移動部６４を、付勢部６３４の付勢力に抗して移動させる。この状態で、外縁移動部６４を離すと、図１１に示すように、付勢部６３４の付勢力によって、外縁移動部６４が内側に戻り、当接部６４ａが隆起部Ｕの外縁に当接して、蓋Ｂ２が保持される。
【００６４】
次に、蓋Ｂ２を取り外す時には、図１５及び図１６に示すように、作業者が、操作部６３３の操作片６３３ａを押圧する。すると、上記のように、操作部６３３が下方に回動し、押圧部６３３ｂが開閉部６３２の他端を押すので、開閉部６３２が、付勢部６３４の付勢力に抗して回動する。このため、外縁移動部６４が外側に移動して、当接部６４ａが隆起部Ｕの外縁を解放する。
【００６５】
以上のように、一カ所の操作部６３３を操作することにより、容器Ｂ１及び蓋Ｂ２の縁に触れることなく、蓋Ｂ２の取り外しを容易に且つ短時間に行うことができる。
【００６６】
［３．第３の実施形態］
［構成］
次に、第３の実施形態を説明する。なお、上記の第１及び第２の実施形態と同様の部材については、説明を省略する。
【００６７】
すなわち、本実施形態は、基本的には、上記の実施形態と同様の構成である。但し、図１７〜２０に示すように、蓋Ｂ２を保持する保持部７の構成が異なっている。まず、保持部７は、固定部７１、前後移動部７２、調節部７３、外縁移動部７４等を有している。
【００６８】
固定部７１及び前後移動部７２は、上記の第２の実施形態と同様である。調節部７３は、図１９に示すように、筐体部７３１、回動部７３２，付勢部７３３、操作部７３４等を有している。筐体部７３１は、前後移動部７２に固定されている。回動部７３２は、筐体部７３１内に回動可能に設けられた円形のギヤである。
【００６９】
付勢部７３３は、後述する外縁移動部７４の端部を互いに引き合う方向に付勢する部材である。付勢部７３３としては、例えば、コイルバネとすることが考えられるが、一対の部材を所定の方向に付勢する部材であれば、どのようなものでもよい。操作部７３４は、回動部７３２と同軸に、これと一体に回動可能に設けられた部材であり、回動させ易いようにつまみ７３４ａが形成されている。
【００７０】
さらに、外縁移動部７４は、その一端に形成されたラック７４ｂが、回動部７３２のギヤに係合した一対の直線状のプレートである。この外縁移動部７４には、その位置に応じて、蓋Ｂ２の隆起部Ｕの左右の外縁に接離する当接部７４ａが設けられている。また、当接部７４ａは、隆起部Ｕとの接触面に、ゴム、樹脂等の滑止部材７４ｃを有している。なお、筐体部７３１の内部には、内壁により外縁移動部７４の移動をガイドするガイド部が形成されている。
【００７１】
［作用効果］
以上のような本実施形態における蓋Ｂ２の取り付け及び取り外し作業は、次のように行う。すなわち、蓋Ｂ２の取り付け時には、図１８に示すように、作業者が、当接部７４ａが蓋Ｂ２の隆起部Ｕの外側へ来るように、外縁移動部７４を、付勢部７３３の付勢力に抗して移動させる。この状態で、外縁移動部７４を離すと、図１７に示すように、付勢部７３３の付勢力によって、外縁移動部７４が内側に戻り、当接部７４ａが隆起部Ｕの外縁に当接して、蓋Ｂ２が保持される。
【００７２】
次に、蓋Ｂ２を取り外す時には、図１９及び図２０に示すように、作業者が、操作部７３４のつまみ７３４ａを持って回動させる。すると、回動部７３２のギヤが回動するので、これにラック７４ｂが噛み合った外縁移動部７４は、付勢部７３３の付勢力に抗して外側に移動する。これにより、蓋Ｂ２が当接部７４ａから解放される。
【００７３】
以上のように、一カ所の操作部７３４を回動させることにより、容器Ｂ１及び蓋Ｂ２の縁に触れることなく、Ｂ２の取り外しを容易に且つ短時間に行うことができる。
【００７４】
［４．第４の実施形態］
［構成］
次に、第４の実施形態を説明する。なお、上記の第１の実施形態と同様の部材については、説明を省略する。
【００７５】
すなわち、本実施形態は、基本的には、上記の第１の実施形態と同様の構成である。但し、図２１〜２６に示すように、蓋Ｂ２を保持する保持部２００の構成が異なっている。まず、保持部２００は、固定部２１０、前後移動部２２０、左右移動部２３０、クランプ部２４０等を有している。
【００７６】
固定部２１０は、上記の第２の実施形態と同様である。前後移動部２２０は、固定部２１０における前後方向のパイプの前端に、スライド移動可能に挿通された部材であり、ネジ２１１により固定部２１０に対して固定されるように構成されている。前後移動部２２０は、左右方向のパイプを有しており、その両端には、一対の左右移動部２３０がスライド移動可能に挿通されている（請求項の移動部）。一対の左右移動部２３０は、棒状の部材であり、ネジ２１１により前後移動部２２０に対して固定されるように構成されている（請求項の調節部）。
【００７７】
一対の左右移動部２３０のそれぞれの端部には、クランプ部２４０が設けられている。クランプ部２４０は、図２２に示すように、外縁支持部２５０、内縁支持部２６０を有している。外縁支持部２５０は、左右移動部２３０の先端に固定され、蓋Ｂ２の隆起部Ｕの左右の外縁に当接する当接部２５１が設けられている。
【００７８】
内縁支持部２６０は、図２３〜２６に示すように、スライド部２６１、当接部２６２、操作レバー２６３、付勢プレート２６４、バネ２６５、ブレーキプレート２６６、バネ２６７等を有している。スライド部２６１は、左右移動部２３０にスライド移動可能に設けられた部材である（請求項の移動部）。当接部２６２は、スライド部２６１に固定され、隆起部Ｕの左右の内縁に当接する部材である。なお、当接部２５１，２６２は、隆起部Ｕとの接触面若しくは全体を、ゴム、樹脂等の滑止部材としてもよい。
【００７９】
操作レバー２６３は、図２３（Ａ）、図２４（Ａ）に示すように、左右移動部２３０が挿通された略くの字状の部材であり、その下端がスライド部２６１に回動可能に設けられている。付勢プレート２６４は、図２３（Ｂ）、図２４（Ｂ）に示すように、左右移動部２３０が挿通された付勢穴２６４ａを有するプレートであり、操作レバー２６３によって、付勢穴２５４ａが左右移動部２３０に対して移動可能な初期位置（図２３（Ｂ））と、付勢穴２５４ａが左右移動部２３０に係止する係止位置（図２４（Ｂ））との間を角度変更可能に設けられている。バネ２６５は、付勢プレート２６４及び操作レバー２６３を初期位置に付勢する弾性部材である。
【００８０】
ブレーキプレート２６６は、図２５（Ｂ）、図２６（Ｂ）に示すように、左右移動部２３０が挿通されたブレーキ穴２６６ａを有するプレートである。このブレーキプレート２６６は、ブレーキ穴２６６ａが左右移動部２３０に係止する係止位置（図２５（Ｂ））と、ブレーキ穴２６６ａが左右移動部２３０に対して移動可能な解除位置（図２６（Ｃ））との間を角度変更可能に設けられている。バネ２６７は、ブレーキプレート２６６を、係止位置に付勢する弾性部材である。操作レバー２６３、付勢プレート２６４、バネ２６５、ブレーキプレート２６６、バネ２６７は、請求項の調節部を構成しており、ブレーキプレート２６６、バネ２６７は、請求項の固定手段を構成している。
【００８１】
［作用効果］
以上のような本実施形態における蓋Ｂ２の取り付け及び取り外し作業は、次のように行う。なお、前後移動部２２０の位置の調節は、上記の実施形態と同様である。すなわち、蓋Ｂ２の取り付け時には、作業者が、当接部２５１が蓋Ｂ２の隆起部Ｕの外縁に接するように、且つ、当接部２５１と当接部２６２との間に隆起部Ｕが来るように、左右移動部２３０を移動させて、ネジ２１１で固定する。
【００８２】
そして、図２４に示すように、操作レバー２６３を操作して、付勢プレート２６４を係止位置に変位させると、付勢穴２６４ａの係止点を支点として、操作レバー２６３の下端がスライド部２６１を、外縁支持部２５０側へ付勢する。一度の操作でのスライド部２６１の移動距離は少ないが、この操作を繰り返すと、スライド部２６１が序々に外方向に移動する。そして、図２１及び図２２に示すように、当接部２６２が隆起部Ｕの内縁に当接して、外縁支持部２５０の当接部２５１との間で、隆起部Ｕを挟持する。挟持力は、操作レバー２６３によってスライド部２６１を外方向へ移動させる程、強くなる。
【００８３】
次に、蓋Ｂ２を取り外す時には、図２６に示すように、作業者が、ブレーキプレート２６６を操作して、ブレーキプレート２６６を解除位置に変位させる。これによりブレーキが解除されるので、この状態で、作業者がスライド部２６１を内側へスライド移動させると、当接部２６２が隆起部Ｕの内縁から離れる。このため、当接部２５１，２６２から、隆起部Ｕが解放される。
【００８４】
以上のように、左右のクランプ部２４０によって、より強力に蓋Ｂ２を保持することができる。クランプ部２４０による挟持力の調整は操作レバー２６３によって、取り外しはブレーキプレート２６６によって、容易に且つ短時間に行うことができる。
【００８５】
［５．他の実施形態］
なお、本発明は上記実施形態に限定されるものではなく、その大きさ、形状、数量、材質等は適宜変更可能である。例えば、容器スタンドの寸法は、小型のものから、大型のものまで想定され、持ち運び可能としても、固定的に設置することとしてもよい。また、図２７に示すように、脚部１に、キャスター等の車輪部８を取り付け、簡単に移動可能とすることも考えられる（ストッパーを付けてもよい）。
【００８６】
次に、設置対象となる容器の大きさ、形状、材質等も自由である。例えば、上記実施形態においては、容器の形状として、直方体のものを例示しているが、当該形状には限定されず、現在又は将来において利用されるあらゆる容器に適用可能である。したがって、例えば、図２８に示すように、円柱形等の容器であってもよい（上記の実施形態のいずれにおいても適用可能である）。
【００８７】
また、図２９に示すように、長方形状の蓋Ｂ２の短片方向を保持する構成であってもよい。同様に、図３０に示すように、上記の第４の実施形態に示したクランプ部２４０によって、蓋Ｂ２の手前の隆起部Ｕを挟持する構成とすることもできる。この場合には、クランプ部２４０は、固定部２１０にスライド移動可能に且つネジ２１１により固定可能に設けられた前後移動部２２０が棒状となっており、この前後移動部２２０に、クランプ部２４０が設けられている。このように構成を簡素化しても、クランプ部２４０による挟持が強力であるため、蓋Ｂ２の脱落は生じない。
【００８８】
また、移動部やスライド部の位置を固定する固定手段は、上記で例示したものには限られない。例えば、移動部やスライド部とこれを移動可能に支持する部材との双方に一列に複数の穴をあけ、双方にあけられた穴が重なる位置にネジをねじ込み若しくは棒等のストッパを差し込んで固定するなどの手段によってもよい。
【００８９】
移動部やスライド部とこれを移動可能に支持する部材とのいずれか一方に複数段の溝を形成し、他方にこの溝に係合する係合部材を設け、スライド部のスライド移動に従って、いずれかの溝に係合部材が係合することにより、所望の位置で固定されるようにしてもよい。
【００９０】
第１の実施形態における外縁移動部、内縁移動部は、いずれか一方を取り外して使用することにより、外縁のみ若しくは内縁のみの保持として、作業を簡略化することも可能である。外縁移動部、内縁移動部のいずれか一方を省略した構成としてもよい。
【００９１】
第２及び第３の実施形態においては、外縁のみを保持する構成としたが、当接部の位置を内縁側として、付勢部の付勢方向を逆方向とすることにより、内縁を保持する構成としてもよい。
【００９２】
第４の実施形態において、操作レバーとブレーキプレートを備えた内縁支持部と同様の構成（以下、可動支持部と呼ぶ）によって、隆起部の外縁を支持するように構成してもよい。この場合、外縁支持部と同様の構成によって（以下、固定支持部と呼ぶ）、隆起部の内縁を支持するようにしてもよいし（第４の実施形態における内縁支持部と外縁支持部が逆となる構成）、２つの可動支持部によって隆起部を挟む構成としてもよい。
【００９３】
固定支持部を省略して、内縁側に設けた可動支持部のみによって、隆起部の対向する内縁に突っ張るように保持してもよいし、外縁側に設けた可動支持部のみによって、隆起部の対向する外縁を挟むように（第２、第３の実施形態のように）保持してもよい。
【００９４】
当接部は、上記の実施形態では、蓋の外縁や内縁に接する態様とした。この当接部に、蓋の縁の下部に引っ掛ける引掛部を備えてもよい。但し、当接部のみの方が、取り外し作業は容易であり、作業者が蓋に接触する可能性も少なくなる。
【００９５】
調節部の構成も、上記の実施形態で例示したものには限定されない。例えば、第３の実施形態においては、回転部をギヤとして、外縁移動部にこれに噛み合うラックを形成していたが、図３１及び図３２に示すように、回動部７３２を、外縁移動部を連結するプレートによって構成することにより、ギヤ及びラックを省略してもよい。
【００９６】
調整具としては、上記の第１の実施形態においては、ネジとしたが、弾性部材等（スプリング、板バネなど）の付勢手段によって当接部を付勢する構成とすることも可能である。調整具を、第１の実施形態の外縁移動部に設けてもよいし、第２及び第３の実施形態における外縁移動部に設けてもよい。
【００９７】
ペダル部材は、直線形状のものに限られず、弧を描いた形状のものとしてもよい。また、ペダル部その他の各部に蛍光塗料などで色を付けることにより、暗がりにおいても確実に蓋の開閉が行えるようにする態様も考えられる。
【００９８】
各部を構成する材質についても、金属製とすることが考えられるが、これには限定されず、木材や合成樹脂等を用いることも可能である。また、形状もパイプ状、棒状、板状の部材を用いてもよい。
【図面の簡単な説明】
【００９９】
【図１】本発明の第１の実施形態における容器スタンドの全体構成を示す側面図である。
【図２】図１の蓋を開いた状態を示す側面図である。
【図３】図１の実施形態の脚部を示す正面図である。
【図４】図１の実施形態における支持部を示す平面図である。
【図５】図１の実施形態における保持部を示す平面図である。
【図６】図５の保持部における蓋の解放時を示す平面図である。
【図７】図５の保持部を示す側面図である。
【図８】図５の保持部を示す正面図である。
【図９】図１の実施形態における足踏部を示す側面図である。
【図１０】図１の実施形態における足踏部を示す側面図である。
【図１１】本発明の第２の実施形態における保持部を示す平面図である。
【図１２】図１１の保持部における蓋の解放時を示す平面図である。
【図１３】図１１の保持部における調整部を示す平面図である。
【図１４】図１３の調整部を示す側面図である。
【図１５】図１３の調整部における蓋の解放時を示す平面図である。
【図１６】図１５の調整部を示す側面図である。
【図１７】本発明の第３の実施形態における保持部を示す平面図である。
【図１８】図１７の保持部における蓋の解放時を示す平面図である。
【図１９】図１７の保持部における調整部を示す平面図である。
【図２０】図１９の調整部における蓋の解放時を示す平面図である。
【図２１】本発明の第４の実施形態における保持部を示す平面図である。
【図２２】図２１の保持部を示す正面図である。
【図２３】図２１の保持部におけるクリップ部の初期状態を示す側面図（Ａ）、初期位置の付勢プレートを示す背面図（Ｂ）である。
【図２４】図２１の保持部におけるクリップ部の位置調整状態を示す側面図（Ａ）、係止位置の付勢プレートを示す背面図（Ｂ）である。
【図２５】図２１の保持部におけるクリップ部の初期状態を示す側面図（Ａ）、係止位置のブレーキプレートを示す背面図（Ｂ）である。
【図２６】図２１の保持部におけるクリップ部の位置調整状態を示す側面図（Ａ）、解除位置のブレーキプレートを示す背面図（Ｂ）である。
【図２７】本発明の他の実施形態における脚部を示す側面図である。
【図２８】本発明の他の実施形態における保持部を示す平面図である。
【図２９】本発明の他の実施形態における保持部を示す平面図である。
【図３０】本発明の他の実施形態における保持部を示す平面図（Ａ）、側面図（Ｂ）である。
【図３１】本発明の他の実施形態における調整部を示す平面図である。
【図３２】図２４の調整部における蓋の解放時を示す平面図である。
【符号の説明】
【０１００】
１…脚部
２…支柱部
３…支持部
４，６，７，２００…保持部
５…ペダル部
８…車輪部
１１ａ，１１ｂ…接地部
１２…連結部
１３…枠部
２１…柱部材
３１，７１，２１０…固定部
３１ａ，３２ａ，３３ａ…押え部
３１ｂ…昇降部
３２…前スライド部
３３…横スライド部
３４，４４ｂ，４５，６１ａ，２１１…ネジ
４１…固定部
４２，６４，７４…外縁移動部
４２ａ，４４ａ，６４ａ，７４ａ，２５１，２６２…当接部
４３，６２，７２，２２０…前後移動部
４４…内縁移動部
５１…連結部
５２…足踏部
５３…緩衝部
５３ａ…弾性部材
５３ｂ…摺動部
６１…固定部
６３，７３…調節部
６４ｂ，７４ｃ…滑止部材
７４ｂ…ラック
２３０…左右移動部
２４０…クランプ部
２５０…外縁支持部
２５４ａ…付勢穴
２６０…内縁支持部
２６１…スライド部
２６３…操作レバー
２６４…付勢プレート
２６４ａ…付勢穴
２６５，２６７…バネ
２６６…ブレーキプレート
２６６ａ…ブレーキ穴
６３１…取付部
６３１ａ…穴
６３２…開閉部
６３３，７３４…操作部
６３３ａ…操作片
６３３ｂ…押圧部
６３４，７３３…付勢部
６３５…軸
７３１…筐体部
７３２…回動部
７３４ａ…つまみ
Ｂ１…容器
Ｂ２…蓋
Ｕ…隆起部
【図１】
2010070254.tif 000003
【図２】
2010070254.tif 000004
【図３】
2010070254.tif 000005
【図４】
2010070254.tif 000006
【図５】
2010070254.tif 000007
【図６】
2010070254.tif 000008
【図７】
2010070254.tif 000009
【図８】
2010070254.tif 000010
【図９】
2010070254.tif 000011
【図１０】
2010070254.tif 000012
【図１１】
2010070254.tif 000013
【図１２】
2010070254.tif 000014
【図１３】
2010070254.tif 000015
【図１４】
2010070254.tif 000016
【図１５】
2010070254.tif 000017
【図１６】
2010070254.tif 000018
【図１７】
2010070254.tif 000019
【図１８】
2010070254.tif 000020
【図１９】
2010070254.tif 000021
【図２０】
2010070254.tif 000022
【図２１】
2010070254.tif 000023
【図２２】
2010070254.tif 000024
【図２３】
2010070254.tif 000025
【図２４】
2010070254.tif 000026
【図２５】
2010070254.tif 000027
【図２６】
2010070254.tif 000028
【図２７】
2010070254.tif 000029
【図２８】
2010070254.tif 000030
【図２９】
2010070254.tif 000031
【図３０】
2010070254.tif 000032
【図３１】
2010070254.tif 000033
【図３２】
2010070254.tif 000034